(57)【要約】【課題】携帯情報端末の記憶部に含まれる特定情報を検出し、削除を促すための携帯情報端末における特定情報検索システム及び検索方法を提供する。【解決手段】携帯情報端末２と検索端末１とが通信可能な状態において、携帯情報端末２は自装置の記憶部２１に記憶されたデータを任意のサイズに分割し、分割データを１つずつ検索端末１に送信する。分割データの全てを検索端末１へ送信し終えたら、検索端末１の分割データ復元部によって分割されたデータを結合・復元して自装置の記憶部１１に記憶し、復元した携帯情報端末２のデータに対して特定情報の検索を行う。分割データ送信中にそれぞれの装置が通信不可能となった場合は処理を中断し、再度通信可能となった際に未送信の分割データの送信から処理を再開する。【選択図】図１
2017120490.tif 000002
【特許請求の範囲】
【請求項１】
携帯情報端末に記憶されている情報に特定情報が含まれるか否かを他の情報端末によって検索する携帯情報端末の特定情報検索システムにおいて、
前記携帯情報端末及び前記他の情報端末は、夫々記憶部及び表示部を備えており、
前記携帯情報端末の記憶部に記憶する複数のファイルからなるデータを、前記他の情報端末の記憶部にバックアップし、
前記他の情報端末は、バックアップされたデータに対して特定の文字列又はバイナリデータからなる特定情報が含まれるか否かの検索処理を行い、該検索処理の結果としての特定の文字列又はバイナリデータからなる特定情報が含まれるか否かを、前記携帯情報端末の表示部に表示することを特徴とする携帯情報端末における特定情報検索システム。
【請求項２】
前記検索処理の結果を前記他の情報端末の表示部に表示することを特徴とする請求項１記載の携帯情報端末における特定情報検索システム。
【請求項３】
前記携帯情報端末は操作部を有し、前記検索処理において検索対象のデータに対して特定情報が含まれると判定された際は、前記携帯情報端末の表示部には何れのファイルから特定情報が検出されたか表示すると共に、当該特定情報を含むファイルの削除処理を実行するための削除ボタンを表示し、利用者が該削除ボタンを押下することで、当該特定情報を含むファイルをファイル単位又は一括で前記携帯情報端末の記憶部から削除することを特徴とする請求項１又は２記載の携帯情報端末における特定情報検索システム。
【請求項４】
携帯情報端末に記憶されている情報に特定情報が含まれるか否かを他の情報端末によって検索する際に、前記携帯情報端末の記憶部に記憶するデータを、前記他の情報端末にバックアップして、前記携帯情報端末の特定情報を検索する方法であって、
前記携帯情報端末は、前記他の情報端末に対して、バックアップを開始する旨をバックアップ開始電文として通知し、
さらに前記携帯情報端末は、前記記憶部に記憶するデータの内バックアップ対象となるデータを任意のサイズに分割した複数の分割データを生成した後、前記他の情報端末に対して前記複数の分割データのうちの１つをバックアップデータ送信電文として送出し、
前記他の情報端末は、前記バックアップデータ送信電文を取得した後、前記携帯情報端末に対して、バックアップデータ受信完了電文を送出し、
前記携帯情報端末及び前記他の情報端末は、前記複数の分割データの全数分、バックアップデータ送信電文の送出及びバックアップデータ受信完了電文の送出を繰り返し、
前記他の情報端末は、前記複数の分割データの全てを受信し終えた後に前記複数の分割データを結合して復元し、前記携帯情報端末から送信された情報に特定情報が含まれるか否かを検索処理することを特徴とする携帯情報端末における特定情報検索方法。
【請求項５】
前記検索処理において検索対象のデータに対して特定情報が含まれると判定された際には、前記携帯情報端末の表示部には何れのファイルから特定情報が検出されたか表示すると共に、当該特定情報を含むファイルの削除処理を実行するための削除ボタンを表示し、利用者が該削除ボタンを押下することで、当該特定情報を含むファイルをファイル単位又は一括で前記携帯情報端末の記憶部から削除することを特徴とすることを特徴とする請求項４記載の携帯情報端末における特定情報検索方法。
【請求項６】
前記他の情報端末は、前記携帯情報端末からバックアップ開始電文を取得した後、前記携帯情報端末に対してバックアップ開始応答電文を送出することを特徴とする請求項４記載の携帯情報端末における特定情報検索方法。
【請求項７】
前記複数の分割データの送信中に中断した際、前記携帯情報端末は前記他の情報端末に対してバックアップ再開始電文を送出し、
前記他の情報端末において前記バックアップ再開始電文を取得した後、前記バックアップ再開始応答電文を送出し、
前記携帯情報端末は前記バックアップ再開始応答電文を取得したことを受けて、分割データの送信を再開することを特徴とする請求項４又は５記載の携帯情報端末における特定情報検索方法。
【発明の詳細な説明】
【技術分野】
【０００１】
本発明は、携帯情報端末が具備する記憶部に記憶される種々のデータから成る情報から、特定の文字列又はバイナリパターンを含む特定情報を検索し、削除を促すための携帯情報端末における特定情報検索システム及び特定情報検索方法に関する。
【背景技術】
【０００２】
近年、企業の営業秘密或いは個人情報等が外部に流出することに対して懸念のある情報（以降、特定情報と称呼する）の取り扱いに慎重に慎重を期す対応が求められているが、それであっても情報漏洩の事件、事故の根絶には至っていない。従来、情報漏洩を防止するために、種々の技術が開示されている。
【０００３】
例えば特許文献１では、携帯端末とデータ検疫プログラム管理サーバーとをネットワークによって通信可能に接続しており、携帯端末はアドレス帳データベースとデータ検疫プログラムを具備し、データ検疫プログラム管理サーバーには検疫条件設定ファイルを具備しており、携帯端末起動時にデータ検疫プログラムはデータ検疫プログラム管理サーバーに接続して検疫条件設定ファイルを取得し、検疫条件設定ファイルに従ってアドレス帳データベースを検疫し、不正な個人情報が含まれている場合は検疫結果をデータ検疫プログラム管理サーバーに送信する携帯端末装置の情報漏えい防止プログラムが開示されている。
【先行技術文献】
【特許文献】
【０００４】
【特許文献１】特開２０１３−１３２０３６号公報
【発明の概要】
【発明が解決しようとする課題】
【０００５】
しかしながら、上記特許文献１の構成では、携帯情報端末等、常に電力供給を受けていないような端末の場合、検索処理を移動中に行うにはバッテリーに蓄電された電力では足りず、検索処理を完遂することができずに、不用意な電力の消費をしてしまう虞がある。また、電波圏外等の通信不可能な状態においては検索処理を続行できないという据え置き型の端末にはない携帯情報端末特有の事情もある。
【０００６】
そこで本発明の目的は、携帯情報端末に記憶されたデータから効率よく特定情報の検索を行うことができる特定情報検索システム及び特定情報検索方法を提供することにあり、さらには、検索処理途中に処理を中断して携帯情報端末の持ち出しを行うような場合においても、その検索処理の再開を容易とする携帯情報端末データのデータバックアップシステム及びデータバックアップ方法を提供することにある。
【課題を解決するための手段】
【０００７】
上記課題を解決するため、本発明の携帯情報端末における特定情報検索システムは、携帯情報端末の記憶部に記憶する複数のファイルからなるデータを、一旦他の情報端末にバックアップし、バックアップしたデータに対して特定の文字列又はバイナリデータからなる特定情報によって検索を行い、特定情報が検出された場合、何れのファイルから特定情報が検出されたかを携帯情報端末に表示することを特徴とする。
【０００８】
また、本発明の携帯情報端末における特定情報検索システムは、前記携帯情報端末の記憶部に記憶するデータを、前記他の情報端末にバックアップする際、前記携帯情報端末は、前記他の情報端末に対してバックアップを開始する旨をバックアップ開始電文として通知し、さらに前記携帯情報端末は、前記記憶部に記憶するデータの内バックアップ対象となるデータを任意のサイズに分割した複数の分割データを生成した後、前記他の情報端末に対して前記複数の分割データのうちの１つをバックアップデータ送信電文として送出し、前記他の情報端末は、前記バックアップデータ送信電文を取得した後、前記携帯情報端末に対して、バックアップデータ受信完了電文を送出し、前記携帯情報端末及び前記他の情報端末は、前記複数の分割データの全数分、バックアップデータ送信電文の送出及びバックアップデータ受信完了電文の送出を繰り返し、前記他の情報端末は、前記複数の分割データを受信し終えた後に前記複数の分割データを結合して復元することを特徴とする。
【０００９】
また、本発明の携帯情報端末における特定情報検索システムは、前記他の情報端末は、前記携帯情報端末からバックアップ開始電文を取得した後、前記携帯情報端末に対してバックアップ開始応答電文を送出することを特徴とする。
【００１０】
また、本発明の携帯情報端末における特定情報検索システムは、前記複数の分割データの送信中に中断した際、前記携帯情報端末は前記他の情報端末に対してバックアップ再開始電文を送出し、前記他の情報端末において前記バックアップ再開始電文を取得した後、前記バックアップ再開始応答電文を送出し、前記携帯情報端末は前記バックアップ再開始応答電文を取得したことを受けて、分割データの送信を再開することを特徴とする。
【発明の効果】
【００１１】
上記構成の携帯情報端末における特定情報検索システムによれば、携帯情報端末に記憶されたデータを他の情報端末にバックアップした後に、特定情報の検索を行い、その検索結果を携帯情報端末に送信することができるものである。その際、安定した電力供給を確保しえない携帯情報端末に記憶されたデータから特定情報を検出することを、他の情報端末、例えば据え置き型のＰＣやサーバー等にて行うことができるため、検索処理を行ったとしても携帯情報端末のリソースは消費することがなく、携帯情報端末の通常の利用の妨げになることはない。
【００１２】
これにより、検索対象となる携帯情報端末に記憶されたデータを分割して他の情報端末へ送信することで、利用者が携帯情報端末を持ってその場を離れるなど通信不可能になった場合であっても、分割データを送信済みの分までは他の情報端末において蓄積しておき、再び携帯情報端末と他の情報端末が通信可能になった際に、蓄積済みの分割データをスキップして未送信の分割データの送信から処理を再開することができるため、効率の良い特定情報の検出が可能となる。
【図面の簡単な説明】
【００１３】
【図１】本発明の一実施例に係る携帯情報端末データのデータバックアップシステムを用いた特定情報検索システムの構成を示すブロック図である。
【図２】携帯情報端末のデータを他の情報端末にバックアップし、検索処理をする一連の動作を示す説明図である。
【図３】携帯情報端末におけるバックアップ開始処理の動作を示すフローチャートである。
【図４】携帯情報端末におけるバックアップ再開始処理の動作を示すフローチャートである。
【図５】携帯情報端末におけるタイマー監視処理の動作を示すフローチャートである。
【図６】携帯情報端末におけるバックアップデータ送信処理の動作を示すフローチャートである。
【図７】携帯情報端末におけるバックアップデータ送信完了処理の動作を示すフローチャートである。
【図８】検索端末におけるバックアップ開始応答電文送信処理の動作を示すフローチャートである。
【図９】検索端末におけるバックアップ再開始応答電文送信処理の動作を示すフローチャートである。
【図１０】検索端末におけるバックアップデータ受信処理の動作を示すフローチャートである。
【図１１】携帯情報端末における特定情報が含まれたファイルの確認画面兼削除指示画面の一例を示す説明図である。
【発明を実施するための形態】
【００１４】
以下、図面を用いて本発明の実施例について説明する。
【実施例１】
【００１５】
図１に、本発明の一実施例に係る携帯情報端末データのデータバックアップシステムを用いた特定情報検索システムの概略構成図を示す。パーソナルコンピューター若しくはサーバーマシンである他の情報端末としての検索端末１は、自装置が備える記憶部１１に記憶した種々のデータに対して、特定の文字列又はバイナリデータを検索する検索部１０４を有する特定情報検索プログラム１００を具備している。この特定情報検索プログラム１００は、例えば、他社との契約により当該情報端末１には記憶することが禁じられている特定情報を検索するものである。また、検索端末１の通信部１２は、Ｗｉ−Ｆｉ又はＢｌｕｅｔｏｏｔｈ（登録商標）等の無線ネットワーク３０又はＬＡＮケーブル等の有線ネットワーク３１によってスマートフォン等の携帯情報端末２の通信部２２と通信可能に接続している。携帯情報端末２は、検索端末１が具備する特定情報検索プログラム１００と連動して動作する送受信プログラム２００を具備している。また、検索端末１と携帯情報端末２は、夫々に表示部１３、２３と操作部１４、２４を具備している。検索端末１と携帯情報端末２は、予め双方向に通信ができるよう、任意の方法にて認証が行われているものとする。
【００１６】
検索端末１が具備する特定情報検索プログラム１００は、携帯情報端末２から受信する処理内容及び検索対象のデータを含む電文を解析する電文解析部１０１と、携帯情報端末２に送信する各種電文を作成する電文作成部１０２を備える。また、携帯情報端末２から受信する検索対象のデータは、後に詳述するが、一般的には任意のサイズに分割して複数回に亘って受信されるものであり、この受信した分割データを元の状態に復元するための分割データ復元部１０３を備える。勿論、データ容量により分割の必要がない場合もあることは説明を要しない。検索部１０４は、予め操作部１４等で設定された特定パターンの文字列またはバイナリ―データからなる特定情報に基づき、分割データ復元部１０３によって復元されたデータに対して検索処理を実行する。この電文解析部１０１及び検索部１０４は、携帯情報端末２から受信する処理内容及び検索対象のデータを含む電文を解析・検索することが可能であるが、当然に、検索端末１自らが蓄積するデータ等を解析・検索することもできる。
【００１７】
携帯情報端末２が具備する送受信プログラム２００は、検索端末１から受信する電文を解析する電文解析部２０１と、検索端末１へ送信する電文を作成する電文作成部２０２、携帯情報端末２が具備する記憶装置２１に記憶されたデータを任意のサイズに分割するデータ分割部２０３とを備える。
【００１８】
本実施例における特定情報検索システムの動作概略について、図２に基づいて説明する。尚、検索端末１と携帯情報端末２において送受信がなされる各種電文については、そのすべてにおいて検索端末１と携帯情報端末２との関連付けを担保するための情報、例えば端末ＩＤやセッションＩＤ等をヘッダー情報として格納しているものとする。
【００１９】
携帯情報端末２に具備する送受信プログラム２００は、無線又は有線によって検索端末１が通信可能であることを検出した際、当該検索端末１が予め送受信可能に設定された検索端末であるかを識別、認証し、予め設定された検索端末である場合、携帯情報端末２に記憶されたデータの転送等のアクセスが可能か否かの確認メッセージを含む電文を電文作成部２０２によって作成し、携帯情報端末２の通信部２２を介して検索端末１に向けて送信する。図２に示すシーケンス図では、検索端末１と携帯情報端末２を通信中継手段を介して接続した実施例が記載されているが、この通信中継手段は必須のものではなく、検索端末１と携帯情報端末２を直接接続しても良い。また、複数の携帯情報端末２に対して１台の検索端末１を接続するようにしても良いし、１台の携帯情報端末２が複数の検索端末１に接続可能にしても良い。
【００２０】
携帯情報端末２から送信された電文を通信部１２を介して受信した検索端末１は、電文解析部１０１によって電文の内容を解析し、処理を行う。ここでは携帯情報端末２が予め送受信可能に設定した携帯情報端末であるかを確認し、アクセス可能である場合は、携帯情報端末２に向けてアクセス可能である旨の電文を送信する。以降、電文の送受信においては、各々の装置で受信した場合は電文解析部１０１、２０１によって電文の内容を解析し、送信する場合は電文作成部１０２、２０２によって電文の作成を行うものとし、その説明を省略する。携帯情報端末２の電文解析部２０１は、携帯情報端末２内で電文を解析する場合に用いる。
【００２１】
携帯情報端末２は、検索端末１からのアクセス許可電文を受けて、自装置の記憶装置２１に記憶されているデータを、所定のサイズに分割し、分割したデータをバックアップデータ電文として検索端末１へ順次送信する。このとき、携帯情報端末２の電文作成部２０２は、バックアップデータ電文に「何個目の分割データまで送信完了済みであるか」を示す送信データ通番情報を付加すると共に自装置に当該送信データ通番情報を記憶する。
【００２２】
検索端末１は携帯情報端末２から送られた分割データであるバックアップデータ電文を受信後、携帯情報端末２へ次のデータを送信する指示としてバックアップデータ受信完了電文を送信する。このとき検索端末１は、送信データ通番情報に基づいて「何個目の分割データまで受信完了済みであるか」を示す受信データ通番情報を付加すると共に自装置に当該受信データ通番情報を記憶する。具体的には携帯情報端末２から送信された電文に格納される送信データ通番情報の値を、受信データ通番情報の値として用いる。
【００２３】
携帯情報端末２は、バックアップデータ受信完了電文を受信した後、自装置に記憶する送信データ通番情報の値と、電文に格納される受信データ通番情報の値とが一致しているかを判別し、一致している場合、次の分割データをバックアップデータ電文として送信する。この手順を分割データの全てを送信するまで繰り返す。尚、送信データ通番情報の値と受信データ通番情報の値とが一致しないか、又はこの処理の最中に、例えば携帯情報端末２を持ってユーザが外出するなどの検索端末１との通信が切断されるような状況に陥った場合、検索端末１にて受信が完了した分割データまでを有効として一時中止状態とし、送信中及びそれ以降の分割データについては、後述のバックアップ再開処理にて検索端末１への送信を行う。
【００２４】
携帯情報端末２は最後のバックアップデータ電文に対するバックアップデータ受信完了電文を受けた後、バックアップデータ送信完了電文を検索端末１へ送信する。検索端末１はこれを受けて全バックアップデータ受信完了電文を携帯情報端末２へ送信する。
【００２５】
全バックアップデータ受信完了電文を携帯情報端末２へ送信した検索端末１は、分割データ復元部１０３により受信した分割データを結合・復元した後、ユーザの手動若しくは予め設定した時刻において検索部１０４を起動し、携帯情報端末２から受信したデータから、特定の文字列又はバイナリデータを検出するべく、検索を開始し、検索結果ログを出力する。検索が終了したら、検索端末１は、携帯情報端末２が通信可能な状態か否かを識別し、通信可能な状態である場合、携帯情報端末２に対して検索結果を受信可能であるかを問い合わせるため検索結果受信確認電文を送信する。検索端末１と携帯情報端末２が通信可能な状態とは、有線接続や無線接続の他に、メールによる通信が可能な場合も含まれる。つまり、検索端末１からの検索結果受信確認電文はメールにより送信することも可能である。
【００２６】
携帯情報端末２は、検索結果受信確認電文を受信した際、検索端末１に対してアクセス可能である場合は、アクセス可能応答電文が送信される。これを受けて検索端末１は出力した検索結果ログを含んだ検索結果表示要求電文を、携帯情報端末２へ送信する。
【００２７】
検索結果表示要求電文を受信した携帯情報端末２は、図１１に示すような当該電文に含まれる検索結果ログを表示部２３に表示し、検索の結果、予め指定されている特定の文字列（例えば、秘密プロジェクト名）又はバイナリデータ（例えば、機密データ）が検出されている場合は、該当データの削除を促す確認メッセージと削除ボタンを表示する。ユーザがこの削除指示によって、操作部２４を介して削除ボタンが押下された後、送受信プログラム２００は該当データの削除を行うと共に削除ログを出力する。尚、特定情報が含まれるファイルを削除する際、ユーザが個々のファイルを選択して１つずつ削除してもよいし、一括で削除するよう構成してもよい。削除が完了した後、検索端末１に向けて、削除ログを含む検索結果データ削除報告電文を送信する。
【００２８】
検索端末１は、検索結果データ削除報告電文を受けて、携帯情報端末２から特定情報の削除が完了した旨のログを出力する。当該ログ出力が完了した後、検索端末１は携帯情報端末２へ全ての動作が完了した旨の検索完了電文を送信する。これにより、携帯情報端末２は、単滅内に特定情報を含まない状態となり、それを検索端末１が状況を把握することとなる。
【００２９】
本実施例における特定情報検索システムの、分割したバックアップデータの送信処理、及び再送信処理について、図３乃至図９に基づいて特に詳述する。
【００３０】
図３は、携帯情報端末２による記憶部に記憶されたデータに対する検索処理に伴うバックアップの開始処理を示す。携帯情報端末２の図示しない制御手段は、自装置において作業用の空きメモリ及び記憶領域の確保のための初期化処理を行う（Ｓ３０１）。記憶部２１内のバックアップの対象となるエリアの情報としてファイルの先頭アドレス及び末端アドレス、分割するサイズ等の情報を保存する（Ｓ３０２）。送信データ通番情報等の電文に格納する情報を取得し、バックアップ開始電文を生成する（Ｓ３０３）。送信データ通番情報は初回起動時のため０が格納されるものとする。続いて、生成したバックアップ開始電文を送信する（Ｓ３０４）。バックアップ開始電文を送信した後、タイマー監視を起動し、検索端末１からの応答電文の受信待機状態とする（Ｓ３０５）。
【００３１】
図４は、バックアップ中に携帯情報端末２による分割したバックアップデータの送信が何らかの原因でできない状態となり、その後、バックアップ処理を再開する際の携帯情報端末２の動作を示している。携帯情報端末２の図示しない制御手段は、自装置において作業用の空きメモリ及び記憶領域の確保のための初期化処理を行う（Ｓ４０１）。記憶部２１内のバックアップの対象となるファイルの先頭アドレス及び末端アドレス、分割するサイズ等の情報を保存する（Ｓ４０２）。送信済みの分割データを除くバックアップ対象分割データのサイズを再計算する（Ｓ４０３）。再計算後のバックアップ対象分割データのサイズ及び送信データ通番情報等、電文に格納する種々の情報を取得し、バックアップ再開始電文を生成する（Ｓ４０４）。尚、このときの送信データ通番情報は、前回送信を完了できなかった分割データを指し示す番号が格納される。続いて、生成したバックアップ再開始電文を検索端末１へ送信する（Ｓ４０５）。バックアップ再開始電文を送信した後、タイマー監視を起動する（Ｓ４０６）。
【００３２】
続いて、図３及び図４に示す携帯情報端末２のタイマー監視処理について、図５に基づいて説明する。検索端末１にバックアップ開始電文またはバックアップ再開始電文を送信した後、検索端末１からの応答待機となり（Ｓ５０１）、所定の時間内に応答電文を受信した場合（Ｓ５０１  Ｙｅｓ）、受信した当該電文に従って後述の処理を行う（Ｓ５０２）。所定の時間経過後、応答電文を受信しない場合（Ｓ５０１  Ｎｏ）、リソース解放等のタイムアウト処理を行い、表示部２３に処理が正しく継続できなかった旨のメッセージを表示する。この時後述するバックアップ再開処理のために分割データ及び送信データ通番情報は一時記憶状態を保持又は設定ファイル等に書き出しておくことが望ましい。当該メッセージを表示後、図４に示すバックアップ再開始処理を行う（Ｓ５０３）。
【００３３】
バックアップデータ送信処理について、図６に基づいて説明する。検索端末１から受信した応答電文から受信データ通番情報を取得し、これを送信データ通番情報と比較して正しいか否か（同値であるか否か）を判別する（Ｓ６０１）。正しい場合（Ｓ６０１  Ｙｅｓ）、続いて残りの分割データが存在するか否か（全分割データの送信完了か否か）を判別する（Ｓ６０２）。未送信の分割データが存在する場合（Ｓ６０２  ＮＯ）は、電文作成部２０２により、送信データ通番情報を取得しその通番をインクリメントし、この送信データ通番情報と、これに該当する分割したバックアップデータとに基づいてバックアップデータ送信電文を生成する（Ｓ６０３）。生成したバックアップデータ送信電文を、通信部２２を介して検索端末１に送信する（Ｓ６０４）。電文送信後、タイマー監視を起動する（Ｓ６０５）。ステップＳ６０２にて、未送信の分割データが存在しない、即ち全データの送信が完了した場合（Ｓ６０２  ＹＥＳ）は、（Ａ）に進み、つまり、図７に示す全データ送信完了処理を行う。尚、検索端末１からの応答電文が誤っている（例えば受信データ通番情報と送信データ通番情報が同値ではない等）場合（Ｓ６０１  Ｎｏ）、バックアップデータの送信を再試行するためにバックアップ再開始処理を起動する（Ｓ６０６）。
【００３４】
図６ステップＳ６０２にて、未送信の分割データが存在しない、即ち全分割データの送信が完了した場合（Ｓ６０２  ＹＥＳ）は、図７に示すように（図６の（Ａ））、全データ送信完了電文が生成され、携帯端末２から検索端末１に対して当該電文が送信される（Ｓ７０１）。その後、一時的に保存した送信データ通番情報等のバックアップ情報をリセットし、電文情報をリセットするなどの各種リソースを解放し、次回のバックアップ開始時期情報を設定して（Ｓ７０２）処理を終了する。
【００３５】
検索端末１における、携帯情報端末２から送信されるバックアップ開始電文を受信した際の応答処理であるバックアップ開始応答電文送信処理について、図８に基づいて説明する。検索端末１は、携帯情報端末２からのバックアップ開始電文を受信し、これを受けて送信データ通番情報等を取得してバックアップ開始応答電文を生成する（Ｓ８０１）。次いで、バックアップ開始応答電文を携帯情報端末２へ送信し、分割したバックアップデータの受信準備が完了したことを携帯情報端末２へ通知する（Ｓ８０２）。
【００３６】
分割したバックアップデータの受信中に何らかの要因によって処理が中断した後において、バックアップデータの送信処理を再開する際、携帯情報端末２がバックアップ再開始電文を検索端末１に向けて送信した際の、検索端末１におけるバックアップ再開始応答電文送信処理について図９に基づいて説明する。検索端末１は、携帯情報端末２からのバックアップ再開始電文を受信し、これを受けて受信した分割データの進捗状況を示す受信データ通番情報を含めた電文情報等を取得してバックアップ再開始応答電文を生成する（Ｓ９０１）。バックアップ再開始応答電文を携帯情報端末２へ送信し、何れのバックアップデータから送信を開始すればよいかを携帯情報端末２へ通知する（Ｓ９０２）。
【００３７】
検索端末１における分割したバックアップデータの受信処理について、図１０に基づいて説明する。携帯情報端末２から受信した受信電文が正しいか否か（検索端末１で保持している受信データ通番情報をインクリメントした値と受信電文に格納された送信データ通番情報とが同値であるか）を判別する（Ｓ１００１）。それらが同値である（正しい）と判断した場合（Ｓ１００１  Ｙｅｓ）、検索端末１において空きメモリ等の確保等の初期化処理を行う（Ｓ１００２）。続いて、受信電文から分割したバックアップデータを取得し、記憶部１１に格納する（Ｓ１００３）。受信電文に含まれる送信データ通番情報等を取得し、受信データ通番情報にその値を格納すると共に、受信データ通番情報に基づきバックアップデータ受信完了電文を生成する（Ｓ１００４）。生成したバックアップデータ受信完了電文を携帯情報端末２へ送信する（Ｓ１００５）。電文送信後、タイマー監視を起動する（Ｓ９０６）。尚、携帯情報端末２からの受信電文が誤っている場合（Ｓ１００１  Ｎｏ）、タイマー監視を起動する（Ｓ１００７）。
【００３８】
以上のような携帯情報端末データのデータバックアップシステムによって、検索端末１と携帯情報端末２の夫々に、通番情報を記憶することで、何れの端末でどこまで分割したバックアップデータの送信を終えているかを管理し、齟齬が無くなる時点まで遡り、通番情報の整合性が取れた時点のバックアップデータから送信を再開することで、バックアップデータが巨大な場合であっても効率の良いデータの送受信が可能となる。このように検索端末１に携帯情報端末２のデータをバックアップした後、当該バックアップデータに対して特定情報の検索を行うことで、より安定した電力の供給を受けることが可能な検索端末１による検索処理が可能となり、検索処理の結果を携帯情報端末２にフィードバックして、特定情報が含まれるデータの削除を促すことにより、時間効率の良い特定情報検索ができる。
【００３９】
本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。例えば、検索端末１が１台に対して携帯情報端末２を１台としたが、これに限定せずに、複数の携帯情報端末に対して検索処理を行うよう構成しても良い。その場合、処理を重複して行うことができるよう、且つ検索端末１には複数の携帯情報端末２からバックアップ処理を一意に特定できるよう、携帯情報端末２に固有のＩＤを付す、若しくは複数の処理をセッションＩＤを用いて区別できるようにする必要がある。このＩＤは、例えばＭＡＣアドレスや携帯情報端末名など情報端末固有の情報等を流用することが可能である。
【００４０】
また、携帯情報端末２から分割データを送信する際に、検索端末１の表示部１３に、全体で何個の分割データがあり、どこまで受信完了済みであるか等の進捗状況を表示する様構成しても良い。その際、検索端末１の表示部１３に中断ボタン等を表示し、検索端末１の操作部１４にて当該ボタンを押下することで、検索端末１側から能動的に処理を中断する機能などを追加しても何ら問題ない。また、検索結果確認画面の一例として図１１を示したが、この画面構成に限定するものではない。
【符号の説明】
【００４１】
１    検索端末（他の情報端末）
１１  記憶部
１２  通信部
１３  表示部
１４  操作部
１００  特定情報検索プログラム
１０１  電文解析部
１０２  電文作成部
１０３  分割データ復元部
１０４  検索部
２    携帯情報端末
２１  記憶部
２２  通信部
２３  表示部
２４  操作部
２００  送受信プログラム
２０１  電文解析部
２０２  電文作成部
２０３  データ分割部
【図１】
2017120490.tif 000003
【図２】
2017120490.tif 000004
【図３】
2017120490.tif 000005
【図４】
2017120490.tif 000006
【図５】
2017120490.tif 000007
【図６】
2017120490.tif 000008
【図７】
2017120490.tif 000009
【図８】
2017120490.tif 000010
【図９】
2017120490.tif 000011
【図１０】
2017120490.tif 000012
【図１１】
2017120490.tif 000013